(57)【要約】【課題】強度の高い端末閲覧器具を提供する。また、折り畳み形態が小さく、収納性の高い端末閲覧器具を提供する。【解決手段】端末閲覧器具１００は、レンズ２１が配置される正面部１１と、正面部１１の上辺において接続された上面部１２と、正面部１１の下辺において接続され、上面部１２と対向する位置に配置された底面部１３と、上面部１２の左右の辺にそれぞれ接続されている一対の側面部１４Ｌ，１４Ｒと、底面部１３の左右の辺にそれぞれ接続されており、かつ、底面部１３に平行に配置されている一対の第２底面部１５Ｌ，１５Ｒと、第２底面部１５Ｌ，１５Ｒに一端が接続されており、第２底面部１５Ｌ，１５Ｒから上面部１２へと互いに並んで延在する一対の仕切り部１６Ｌ，１６Ｒとを備える。【選択図】図１１
2018180035.tif 000002
【特許請求の範囲】
【請求項１】
レンズが配置される正面部と、
前記正面部の上辺において接続された上面部と、
前記正面部の下辺において接続され、前記上面部と対向する位置に配置された底面部と、
前記上面部の左右の辺にそれぞれ接続されている一対の側面部と、
前記底面部の左右の辺にそれぞれ接続されており、かつ、前記底面部に平行に配置されている一対の第２底面部と、
前記第２底面部に一端が接続されており、前記第２底面部から前記上面部へと互いに並んで延在する一対の仕切り部と、
を備える端末閲覧器具。
【請求項２】
請求項１に記載の端末閲覧器具において、
前記上面部の背面側の辺において接続されており、前記正面部と対向する位置に配置される第１背面部と、
前記底面部の背面側の辺において接続されており、前記正面部と対向する位置に配置される第２背面部と、
前記第１背面部と前記第２背面部とのそれぞれに設けられ、前記第１背面部と前記第２背面部との位置を固定することにより、表示装置を保持可能とする固定部とを備えること、
を特徴とする端末閲覧器具。
【請求項３】
請求項１又は請求項２に記載の端末閲覧器具において、
前記一対の側面部は、上方又は下方に向かうにしたがって、両者の間隔が狭くなるように角度を持って配置されていること、
を特徴とする端末閲覧器具。
【請求項４】
請求項２に記載の端末閲覧器具において、
当該端末閲覧器具は、折り畳み形態と使用形態との間で形態が変化可能であって、
折り畳み形態において、
前記正面部と、前記第１背面部と、前記底面部と、前記第２背面部と、前記一対の側面部とは、いずれも前記上面部と重なる位置であって前記上面部の外形形状の範囲内に位置すること、
を特徴とする端末閲覧器具。
【請求項５】
請求項４に記載の端末閲覧器具において、
前記固定部は、折り畳み形態において前記第１背面部と前記第２背面部との位置を固定することにより折り畳み形態を維持すること、
を特徴とする端末閲覧器具。
【請求項６】
請求項４又は請求項５に記載の端末閲覧器具において、
前記正面部と、前記上面部と、前記第１背面部と、前記底面部と、前記第２背面部と、前記一対の側面部と、前記一対の第２底面部と、前記一対の仕切り部とは、折り目を有する単一の板状部材又はシート状部材からなること、
を特徴とする端末閲覧器具。
【請求項７】
請求項４から請求項６までのいずれかに記載の端末閲覧器具において、
前記正面部及び前記底面部は、使用形態において外側に露出している面を互いに合せる向きに折り畳まれること、
を特徴とする端末閲覧器具。
【請求項８】
請求項４から請求項７までのいずれかに記載の端末閲覧器具において、
前記上面部と前記第１背面部とが繋がる辺と、前記底面部と前記第２背面部とが繋がる辺とには、マチ部が設けられていること、
を特徴とする端末閲覧器具。
【発明の詳細な説明】
【技術分野】
【０００１】
本発明は、映像表示端末を保持する端末閲覧器具に関するものである。
【背景技術】
【０００２】
従来、バーチャルリアリティ（ＶＲ）、オーグメンテッドリアリティ（ＡＲ）等を体験できる箱型の端末閲覧器具があった（例えば、特許文献１）。
このような端末閲覧器具には、紙等により構成された簡易的な構造のものが、安価に提供するため、又は、付録等として配布するために利用されている。
しかし、紙製等の端末閲覧器具では、強度の確保が難しく、力を加えると歪んでしまうおそれがあった。
【０００３】
また、配布時の利便性、及び、収納性を高めるために、折り畳み可能であることが要求されることから折り畳み可能な形態も知られている。
しかし、従来の折り畳み可能な端末閲覧器具は、折り畳まれた形態が平らにはなるものの、全体が占める面積が大きい場合が多かった。また、折り畳んだ状態であっても、手を離すと紙のコシによって形状が戻ってしまう場合が多く、収納性が悪い場合があった。
【先行技術文献】
【特許文献】
【０００４】
【特許文献１】特開２０１６−１３６２３０号公報
【発明の概要】
【発明が解決しようとする課題】
【０００５】
本発明の課題は、強度の高い端末閲覧器具を提供することである。また、本発明のさらなる課題は、折り畳み形態が小さく、収納性の高い端末閲覧器具を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、レンズ（２１）が配置される正面部（１１）と、前記正面部（１１）の上辺において接続された上面部（１２）と、前記正面部（１１）の下辺において接続され、前記上面部（１２）と対向する位置に配置された底面部（１３）と、前記上面部（１２）の左右の辺にそれぞれ接続されている一対の側面部（１４Ｌ，１４Ｒ）と、前記底面部（１３）の左右の辺にそれぞれ接続されており、かつ、前記底面部（１３）に平行に配置されている一対の第２底面部（１５Ｌ，１５Ｒ）と、前記第２底面部（１５Ｌ，１５Ｒ）に一端が接続されており、前記第２底面部（１５Ｌ，１５Ｒ）から前記上面部（１２）へと互いに並んで延在する一対の仕切り部（１６Ｌ，１６Ｒ）と、を備える端末閲覧器具（１００）である。
【０００８】
第２の発明は、第１の発明に記載の端末閲覧器具（１００）において、前記上面部（１２）の背面側の辺において接続されており、前記正面部（１１）と対向する位置に配置される第１背面部（１７）と、前記底面部（１３）の背面側の辺において接続されており、前記正面部（１１）と対向する位置に配置される第２背面部（１８）と、前記第１背面部（１７）と前記第２背面部（１８）とのそれぞれに設けられ、前記第１背面部（１７）と前記第２背面部（１８）との位置を固定することにより、表示装置を保持可能とする固定部（１７ａ，１８ａ）とを備えること、を特徴とする端末閲覧器具（１００）である。
【０００９】
第３の発明は、第１の発明又は第２の発明に記載の端末閲覧器具（１００）において、前記一対の側面部（１４Ｌ，１４Ｒ）は、上方又は下方に向かうにしたがって、両者の間隔が狭くなるように角度を持って配置されていること、を特徴とする端末閲覧器具（１００）である。
【００１０】
第４の発明は、第２の発明に記載の端末閲覧器具（１００）において、当該端末閲覧器具（１００）は、折り畳み形態と使用形態との間で形態が変化可能であって、折り畳み形態において、前記正面部（１１）と、前記第１背面部（１７）と、前記底面部（１３）と、前記第２背面部（１８）と、前記一対の側面部（１４Ｌ，１４Ｒ）とは、いずれも前記上面部（１２）と重なる位置であって前記上面部（１２）の外形形状の範囲内に位置すること、を特徴とする端末閲覧器具（１００）である。
【００１１】
第５の発明は、第４の発明に記載の端末閲覧器具（１００）において、前記固定部（１７ａ，１８ａ）は、折り畳み形態において前記第１背面部（１７）と前記第２背面部（１８）との位置を固定することにより折り畳み形態を維持すること、を特徴とする端末閲覧器具（１００）である。
【００１２】
第６の発明は、第４の発明又は第５の発明に記載の端末閲覧器具（１００）において、前記正面部（１１）と、前記上面部（１２）と、前記第１背面部（１７）と、前記底面部（１３）と、前記第２背面部（１８）と、前記一対の側面部（１４Ｌ，１４Ｒ）と、前記一対の第２底面部（１５Ｌ，１５Ｒ）と、前記一対の仕切り部（１６Ｌ，１６Ｒ）とは、折り目を有する単一の板状部材又はシート状部材からなること、を特徴とする端末閲覧器具（１００）である。
【００１３】
第７の発明は、第４の発明から第６の発明までのいずれかに記載の端末閲覧器具（１００）において、前記正面部（１１）及び前記底面部（１３）は、使用形態において外側に露出している面を互いに合せる向きに折り畳まれること、を特徴とする端末閲覧器具（１００）である。
【００１４】
第８の発明は、第４の発明から第７の発明までのいずれかに記載の端末閲覧器具（１００）において、前記上面部（１２）と前記第１背面部（１７）とが繋がる辺と、前記底面部（１３）と前記第２背面部（１８）とが繋がる辺とには、マチ部（１９，２０）が設けられていること、を特徴とする端末閲覧器具（１００）である。
【発明の効果】
【００１５】
本発明によれば、強度の高い端末閲覧器具を提供することができる。また、折り畳み形態が小さく、収納性の高い端末閲覧器具を提供することができる。
【図面の簡単な説明】
【００１６】
【図１】端末閲覧器具を正面側の斜め下方から示す斜視図である。
【図２】端末閲覧器具を背面側の斜め上方から示す斜視図である。
【図３】端末閲覧器具の正面図である。
【図４】端末閲覧器具の背面図である。
【図５】端末閲覧器具の平面図である。
【図６】端末閲覧器具の底面図である。
【図７】端末閲覧器具の右側面図である。
【図８】端末閲覧器具の内側から見た展開図である。
【図９】端末閲覧器具の内側から見た展開図の折曲げ線の折曲げ向きを説明する図である。
【図１０】端末閲覧器具の外側から見た展開図である。
【図１１】第１背面部と第２背面部を省略した状態で示した端末閲覧器具の背面図である。
【図１２】図８の展開形態から、折り畳みを開始した初期の状態を示す図である。
【図１３】図１２の状態からさらに折り畳みを進めた形態を示す図である。
【図１４】図１３の状態からさらに折り畳みを進めた形態を示す図である。
【図１５】第１背面部１７と第２背面部１８とが固定されて折り畳みが完了した折り畳み形態を示す図である。
【図１６】折り畳み形態の斜視図である。
【図１７】折り畳み形態を図１５とは反対側から見た図である。
【図１８】端末閲覧器具１００を折り畳み形態から展開する過程を示す図である。
【図１９】使用形態への組立過程を示す図である。
【図２０】使用形態への組立過程を示す図である。
【図２１】使用形態への組立過程を示す図である。
【図２２】使用形態への組立過程を示す図である。
【図２３】使用形態への組立過程を示す図である。
【図２４】使用形態への組立過程を示す図である。
【図２５】使用形態への組立過程を示す図である。
【図２６】使用形態への組立過程を示す図である。
【図２７】端末閲覧器具１００が映像表示端末５００を保持した使用形態を背面側から示した斜視図である。
【図２８】端末閲覧器具１００が映像表示端末５００を保持した使用形態を正面側から示した斜視図である。
【発明を実施するための形態】
【００１７】
以下、本発明を実施するための最良の形態について図面等を参照して説明する。
【００１８】
（実施形態）
なお、以下に示す図中及び以下の説明において、理解を容易にするために、適宜ＸＹＺ直交座標系を設けた。この座標系は、基本的には、端末閲覧器具１００を通常想定される使用状態に配置した場合において、奥行方向をＹ方向とし、左右方向をＸ方向とし、鉛直方向をＺ方向とした。
なお、通常想定される使用状態とは、利用者が観察方向、すなわち、端末閲覧器具１００の奥行方向をＹ方向に平行にし、かつ、端末閲覧器具１００のレンズ２１に対応した左右に並ぶ開口部１１ａの並ぶ方向を左右方向のＸ方向に平行にした状態である。Ｙ方向Ｙ、Ｘ方向Ｘは、水平方向の軸である。
また、一部の図においては、端末閲覧器具１００の形態が変形していたり、部材単体の状態を示していたりするので、そのような図においては、座標を設けていなかったり、主要な部位を上記座標に合せて示す等している。
【００１９】
図１は、端末閲覧器具を正面側の斜め下方から示す斜視図である。
図２は、端末閲覧器具を背面側の斜め上方から示す斜視図である。
図３は、端末閲覧器具の正面図である。
図４は、端末閲覧器具の背面図である。
図５は、端末閲覧器具の平面図である。
図６は、端末閲覧器具の底面図である。
図７は、端末閲覧器具の右側面図である。
図８は、端末閲覧器具の内側から見た展開図である。
図９は、端末閲覧器具の内側から見た展開図の折曲げ線の折曲げ向きを説明する図である。
図１０は、端末閲覧器具の外側から見た展開図である。
【００２０】
なお、各図は、必要に応じて適宜模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の光学的機能を奏し、平行や直交と見なせる程度の誤差を有する状態も含むものとする。
また、本明細書において、板、シート等の言葉を使用しているが、これらは、一般的な使い方として、厚さの厚い順に、板、シートの順で使用されており、本明細書中でもそれに倣って使用している。しかし、このような使い分けには、技術的な意味は無いので、これらの文言は、適宜置き換えることができるものとする。
【００２１】
端末閲覧器具１００は、図示するように、レンズ２１を除くと、紙や各種樹脂を素材としたシート状の材料から形成されており、図８から図１０に示すような展開形状に切り出された中間体を略箱形状に組み立てて構成されている。そして、端末閲覧器具１００は、第１背面部１７と、第２背面部１８とにより映像表示端末５００を保持した状態で、映像表示端末５００に表示される映像を拡大して観察可能とするものである。
【００２２】
端末閲覧器具１００は、正面部１１と、上面部１２と、底面部１３と、側面部１４Ｌ，１４Ｒと、第２底面部１５Ｌ，１５Ｒと、仕切り部１６Ｌ，１６Ｒと、第１背面部１７と、第２背面部１８と、固定部１７ａと、固定部１８ａと、マチ部１９，２０と、レンズ２１とを備えている。正面部１１と、上面部１２と、底面部１３と、側面部１４Ｌ，１４Ｒと、第２底面部１５Ｌ，１５Ｒと、仕切り部１６Ｌ，１６Ｒと、第１背面部１７と、第２背面部１８と、マチ部１９，２０とは、折り目を有する単一のシート状部材、具体的には、厚紙により構成されている。
【００２３】
正面部１１は、ＸＺ面に平行に配置されており、人の目の感覚に略近い間隔となるように、中心距離が６０ｍｍ左右方向（Ｘ方向）に離れて開口された開口部１１ａを備えている。正面部１１は、使用状態において利用者の顔面と対向することとなる。開口部１１ａの内側には、レンズ２１が接着固定されて配置されている。また、正面部１１の下方（−Ｚ側）には、観察者の鼻を逃げる凹部１１ｂが設けられている。この凹部１１ｂは、底面部１３と接続されている稜線部分に設けられていることから、その一部は、底面部１３に開口されている。また、後述する第２底面部１５Ｌ，１５Ｒと、仕切り部１６Ｌ，１６Ｒとについても、凹部１１ｂに対応した鼻を逃げる形状が構成されている。
正面部１１は、正面側（−Ｙ側）から見て、下方（−Ｚ方向）の幅が上方（＋Ｚ方向）の幅よりも狭くなるように構成されている。
【００２４】
上面部１２は、ＸＹ面に平行に配置されており、正面部１１の上辺において接続されている。上面部１２は、その中央部分に、前後方向（Ｚ方向）に沿ったスリット１２ａを備えている。上面部１２は、上側（＋Ｚ側）から見て、正面側から背面側へ行くにしたがい、その幅が狭くなっている。
【００２５】
底面部１３は、ＸＹ面に平行に配置されており、正面部１１の下辺において接続されている。したがって、底面部１３は、上面部１２と対向する位置に配置されており、上面部１２と平行に構成されている。上述したように、底面部１３には、正面部１１から繋がって形成されている凹部１１ｂが、正面部１１との接続部の中央に構成されている。
【００２６】
側面部１４Ｌ，１４Ｒは、上面部１２の左右の辺にそれぞれ接続されている一対の側面である。側面部１４Ｌは、正面（−Ｙ側）から見て左側（−Ｘ側）の側面を構成し、側面部１４Ｒは、正面（−Ｙ側）から見て右側（＋Ｘ側）の側面を構成している。側面部１４Ｌ，１４Ｒは、正面部１１の上下方向（Ｚ方向）に対する幅の変化に沿っており、かつ、上面部１２の前後方向（Ｙ方向）に対する幅の変化に沿って構成されている。したがって、側面部１４Ｌ，１４Ｒは、それぞれ、ＸＹＺ方向に対して角度を持って配置されており、両者は平行ではなく、下方に向かうにしたがって、両者の間隔が狭くなるように角度を持って配置されている。
側面部１４Ｌ，１４Ｒは、その下端部（−Ｚ側端部）付近に、それぞれ、スリット１４Ｌａ，１４Ｒａを備えている。
また、側面部１４Ｌ，１４Ｒは、後述する第２背面部１８との間で映像表示端末５００を挟み込んで映像表示端末５００を保持する。
【００２７】
第２底面部１５Ｌ，１５Ｒは、底面部１３の左右の辺にそれぞれ接続されており、底面部１３と接続されている辺で１８０度折り返されており、かつ、底面部１３に平行に配置されている一対の２層目の底面部である。第２底面部１５Ｌと第２底面部１５Ｒとは、端末閲覧器具１００の中央部まで両者が左右端から延在している。
第２底面部１５Ｌ，１５Ｒは、底面部１３との接続辺から左右方向（±Ｘ方向）にそれぞれ突出したツメ部１５Ｌａ，１５Ｒａを備えている。ツメ部１５Ｌａ，１５Ｒａは、それぞれ、側面部１４Ｌ，１４Ｒのスリット１４Ｌａ，１４Ｒａに挿入されている。なお、側面部１４Ｌ，１４Ｒのスリット１４Ｌａ，１４Ｒａに挿入されているツメ部１５Ｌａ，１５Ｒａは、抜け止めのためにスリット１４Ｌａ，１４Ｒａに沿って折曲げられていてもよい。
【００２８】
仕切り部１６Ｌ，１６Ｒは、第２底面部１５Ｌ，１５Ｒに一端がそれぞれ接続されており、第２底面部１５Ｌ，１５Ｒから上面部１２へと上下方向（Ｚ方向）に沿って互いに並んで延在する一対の仕切り板部分である。
仕切り部１６Ｌ，１６Ｒは、その先端にそれぞれ、ツメ部１６Ｌａ，１６Ｒａを備えている。ツメ部１６Ｌａ，１６Ｒａは、上面部１２のスリット１２ａに挿入されている。
【００２９】
第１背面部１７は、上面部１２の背面側（＋Ｙ側）の辺において接続されており、正面部１１と対向する位置に正面部１１と平行に配置される。
【００３０】
第２背面部１８は、底面部１３の背面側（＋Ｙ側）の辺において接続されており、正面部１１と対向する位置に正面部１１と平行に配置される。よって、第１背面部１７と第２背面部１８とは、使用状態においては、平行に配置される。
【００３１】
固定部１７ａは、第１背面部１７の内側の面に配置されており、後述の固定部１８ａと着脱自在に構成されている。本実施形態の固定部１７ａは、面ファスナーのフック形状側となっている。
【００３２】
固定部１８ａは、第２背面部１８の外側の面に配置されており、固定部１７ａと着脱自在に構成されている。本実施形態の固定部１７ａは、面ファスナーのループ形状側となっている。固定部１７ａと固定部１８ａとは、互いの位置が上下方向（Ｚ方向）に多少ずれても、両者が固定可能となるように、余裕を持った大きさに構成されている。
【００３３】
マチ部１９は、上面部１２と第１背面部１７とが繋がる辺において、折り曲がり可能な稜線を複数線に構成している領域である。
マチ部２０は、底面部１３と第２背面部１８とが繋がる辺において、折り曲がり可能な稜線を複数線に構成している領域である。
マチ部１９，２０を設け、さらに、固定部１７ａと固定部１８ａとを余裕を持った大きさに構成して、両者の位置が上下方向にずれることを許容する構成としたことにより、第１背面部１７と第２背面部１８とにより保持する映像表示端末５００の幅や厚さの違いを吸収して、多数種類の映像表示端末５００に対応可能となっている。
【００３４】
レンズ２１は、１枚の樹脂成型品により構成されており、２つの開口部１１ａに対応した位置に凸レンズを有している。観察者（利用者）は、このレンズ２１を介して、映像表示端末５００に表示される映像を観察する。
【００３５】
図１１は、第１背面部と第２背面部を省略した状態で示した端末閲覧器具の背面図である。
先に説明したように、本実施形態の端末閲覧器具１００は、底面部１３と平行に配列された第２底面部１５Ｌ，１５Ｒを備えている。よって、底面部分の強度が非常に高くなっている。特に、底面部１３と第２底面部１５Ｌ，１５Ｒとが接続されている部分は、１８０度折り返す構成となっていることから、この部分における強度向上が全体の強度向上に寄与している。
【００３６】
また、本実施形態の端末閲覧器具１００は、第２底面部１５Ｌ，１５Ｒに一端がそれぞれ接続されており、第２底面部１５Ｌ，１５Ｒから上面部１２へ延在して上面部１２のスリット１２ａに挿入されて固定されている仕切り部１６Ｌ，１６Ｒを備えている。これにより、特に上面部１２を底面部１３側へ押圧されたときの強度が飛躍的に向上している。仮に、この仕切り部１６Ｌ，１６Ｒが存在しないと、利用者がこの端末閲覧器具１００を通常構える体勢で掴んだ場合に、上面部１２が内側へ向けて撓むおそれがあった。しかし、仕切り部１６Ｌ，１６Ｒを備えたことにより、この上面部１２の撓みを抑制可能である。さらに、本実施形態では、この仕切り部１６Ｌ，１６Ｒによる２重の構造であることから、この強度向上の効果をさらに高めている。
【００３７】
さらに、本実施形態の仕切り部１６Ｌ，１６Ｒは、別部材により構成されたものではなく、第２底面部１５Ｒ，１５Ｌから折曲げて中央から立ち上げて構成している。本実施形態の端末閲覧器具１００は、この構成によって、仕切り部１６Ｌ，１６Ｒの強度がより強固なものとなっており、従来からあるこのような組み立て体にありがちな不安定で形状保持性の低いものとは大きく異なり、形状安定性に優れた剛性感の高い器具となっている。
【００３８】
また、先に説明したように、本実施形態の端末閲覧器具１００では、側面部１４Ｌ，１４Ｒは、下方に向かうにしたがって、両者の間隔が狭くなるように角度を持って配置されている。これにより、側面部１４Ｒ，１４Ｌの背面側（＋Ｙ側）の端面が形成する幅は、図１１に示した上側の幅Ｌ１と下側の幅Ｌ２とのように、互いに異なる幅を上下において構成している。これにより、左右方向（Ｘ方向）の長さ（幅）が短い映像表示端末５００であっても、下側の幅Ｌ１の部分で映像表示端末５００を支持することが可能である。一方、上側の幅Ｌ２は、幅Ｌ１よりも大きく構成されているので、必要以上に視認可能な画面領域を狭くすることがない。このように、本実施形態の端末閲覧器具１００では、左右方向（Ｘ方向）の長さ（幅）が短い映像表示端末５００であっても保持可能としながら、視認可能な画面領域を大きく確保している。
【００３９】
また、本実施形態の端末閲覧器具１００は、図１から図７に示した使用形態から折り畳み形態に変形可能である。また、折り畳み形態から使用形態への変形も可能である。以下、この変形過程について説明する。理解を容易にするために、図８から図１０に示した展開形態から折り畳む過程を先ず説明する。
ここで、図９を参照して、折曲げ線の折曲げ方向について説明する。
図９では、端末閲覧器具の内側から見た展開図を示しており、内側を基準として谷折りとなる折曲げ線（折罫）は、二点鎖線で示し、山折りとなる折曲げ線は、破線で示した。また、正面部１１と底面部１３との間の折曲げ線は、谷折りの場合と山折りの場合とがある。使用形態では、この正面部１１と底面部１３との間の折曲げ線は、谷折りとなるが、折り畳み形態では、山折りにされる。
【００４０】
図１２は、図８の展開形態から、折り畳みを開始した初期の状態を示す図である。
折り畳み形態に変形させるためには、先ず、図８の展開形態から、第２底面部１５Ｌ，１５Ｒと、仕切り部１６Ｌ，１６Ｒとを図１２のように折り畳む。すなわち、第２底面部１５Ｌと第２底面部１５Ｒとが付き合わされる中央部分から仕切り部１６Ｌと仕切り部１６Ｒとを開くような形態に折り畳む。
【００４１】
図１３は、図１２の状態からさらに折り畳みを進めた形態を示す図である。
図１４は、図１３の状態からさらに折り畳みを進めた形態を示す図である。
次に、正面部１１と底面部１３との間の折曲げ線を、内側から見て山折りにしつつ、Ｚ形状に正面部１１と底面部１３とを上面部１２に向けて折り畳む（図１３）。すなわち、正面部１１と底面部１３とは、使用形態において外側に露出している面を互いに合せる向きに折り畳まれる。そのまま折り畳みを進めて、図１４の形態とする。
図１４の状態となったら、側面部１４Ｌ，１４Ｒを内側へ折り畳み、さらに第２背面部１８を内側へ折り畳む。そうすると、第２背面部１８の外側の面に配置されている固定部１８ａが図１４における紙面手前側に露出する。その状態で、最後に、第１背面部１７を内側へ折り畳めば、第１背面部１７の内側の面に設けられた固定部１７ａが固定部１８ａと重なって、第１背面部１７と第２背面部１８とが固定される。
【００４２】
図１５は、第１背面部１７と第２背面部１８とが固定されて折り畳みが完了した折り畳み形態を示す図である。
図１６は、折り畳み形態の斜視図である。
図１７は、折り畳み形態を図１５とは反対側から見た図である。
本実施形態の端末閲覧器具１００は、折り畳み形態では、図１６に示すように、マチ部１９，２０が設けられているので、折り畳み形態において畳まれる部位の厚さを収容可能となっている。そして、固定部１７ａ，１８ａにより、手を離しても、折り畳み形態が維持される。
【００４３】
さらに、本実施形態の端末閲覧器具１００は、折り畳み形態では、図１６に示すように、上面部１２側からみると、正面部１１と、第１背面部１７と、底面部１３と、第２背面部１８と、一対の側面部１４Ｌ，１４Ｒと、第２底面部１５Ｌ，１５Ｒと、第２底面部１５Ｌ，１５Ｒとは、上面部１２と重なる位置であって上面部１２の外形形状の範囲内に位置している。そして、折り畳み形態では、図１７のように、僅かにマチ部２０が見えているだけである。このように、本実施形態の端末閲覧器具１００は、非常に小型に折り畳むことができ、その折り畳み形態を維持することができる。したがって、収納性が非常に高くなっている。
【００４４】
次に、使用状態への組立方法について説明する。
図１８は、端末閲覧器具１００を折り畳み形態から展開する過程を示す図である。
先ず、図１８のように、折り畳み形態の端末閲覧器具１００を展開する。このとき、第２底面部１５Ｌ，１５Ｒについては、展開しなくてよい。
【００４５】
図１９から図２６は、使用形態への組立過程を示す図である。組み立て過程は、図１９から図２６の図番の小さい順から進めるものとする。
図１８の状態から、仕切り部１６Ｌ，１６Ｒを図１９に示すように中央部で重ね合せる。
次に、図２１に示すように正面部１１と、上面部１２と、第１背面部１７とを折曲げながら立ち上げて、箱形状を形成する。このとき、ツメ部１６Ｌａ，１６Ｒａをスリット１２ａに挿入して、形状を保持し、図２２に示す形態とする。
図２２の形態から、側面部１４Ｌ，１４Ｒを折曲げて側面の壁を形成する。このとき、スリット１４Ｌａ，１４Ｒａにツメ部１５Ｌａ，１５Ｒａを挿入し（図２３参照）、図２４の形態とする。この図２４の状態で形態が安定していれば、そのままでもよいが、不安定な場合には、図２４に示すように、ツメ部１５Ｌａ，１５Ｒａを折曲げることにより、形状をより安定させることが可能である。
映像を観察するためには、例えば、スマートフォン等の映像表示端末５００を第１背面部１７と第２背面部１８との間に図２５のように差し込む。
そして、図２５に示すように、第２背面部１８を先に折曲げて映像表示端末５００の背面を支えるようにする。このように先に第２背面部１８を折曲げることにより、固定部１７ａと固定部１８ａとが重なることが可能となる。
【００４６】
図２７は、端末閲覧器具１００が映像表示端末５００を保持した使用形態を背面側から示した斜視図である。
図２８は、端末閲覧器具１００が映像表示端末５００を保持した使用形態を正面側から示した斜視図である。
最後に第１背面部１７を折曲げて、固定部１７ａと固定部１８ａとを重ねて固定することにより、図２７、２８に示すような映像観察が可能な使用形態とすることができる。このように、固定部１７ａ，１８ａは、先に説明した折り畳み形態の保持だけではなく、映像表示端末５００の保持にも用いられる構成となっており、部材の共通化が可能であり、さらなる小型化、軽量化、及び、製造単価の低減に寄与している。
さらに、この使用形態において、マチ部１９，２０が設けられているので、映像表示端末５００の種類が異なることによる映像表示端末５００の大きさの違いを吸収して、様々なサイズの映像表示端末５００を確実に保持することが可能となる。
【００４７】
以上説明したように、本実施形態の端末閲覧器具１００は、第２底面部１５Ｒ，１５Ｌと、仕切り部１６Ｌ，１６Ｒとを設けたので、従来よりも強度の高い構造とすることができる。
また、本実施形態の端末閲覧器具１００の固定部１７ａ，１８ａは、使用形態において映像表示端末５００する機能と、折り畳み形態において折り畳み形態を維持する機能との両方の機能を兼ね備えている。よって、簡素な構成とすることができる上、使い勝手がよい端末閲覧器具とすることができる。
さらに、本実施形態の端末閲覧器具１００は、折り畳み形態において、上面部１２の投影サイズ内に略全ての構成が収まる形態に折り畳むことが可能であり、折り畳み形態が小型であって、かつ、その形態を保持することができるため、収納性が非常に高い。
【００４８】
（変形形態）
以上説明した実施形態に限定されることなく、種々の変形や変更が可能であって、それらも本発明の範囲内である。
【００４９】
（１）本実施形態において、固定部１７ａと固定部１８ａとは、面ファスナーを用いる構成とした例を挙げて説明した。これに限らず、例えば、磁石の磁力を利用して固定部を構成してもよいし、第１背面部１７と第２背面部１８とにそれぞれ係合形状を形成して、形状的に引っ掛けたり挿入したりして両者を固定する構成としてもよい。
【００５０】
（２）本実施形態において、レンズ２１は、樹脂成型品により形成されており、凸レンズを備えた例を挙げて説明した。これに限らず、例えば、レンズは、フレネルレンズを２つ配置したレンズシートとしてもよいし、フレネルレンズを２枚用いてもよい。また、別途レンズを保持する構成を追加するならば、ガラスレンズを配置してもよい。
【００５１】
（３）本実施形態において、レンズ２１を除いて、紙や各種樹脂を素材としたシート状の材料から形成されており、折曲げを行うことで形状を構成している例を挙げて説明した。これに限らず、例えば、板状の材料から各部材を構成してもよいし、折曲げを行う部分の一部又は全部に、蝶番を配置してもよい。
【００５２】
なお、実施形態及び変形形態は、適宜組み合わせて用いることもできるが、詳細な説明は省略する。また、本発明は以上説明した各実施形態によって限定されることはない。
【符号の説明】
【００５３】
１１      正面部
１１ａ    開口部
１１ｂ    凹部
１２      上面部
１２ａ    スリット
１３      底面部
１４Ｌ，１４Ｒ  側面部
１４Ｌａ，１４Ｒａ  スリット
１５Ｌ，１５Ｒ  第２底面部
１５Ｌａ，１５Ｒａ  ツメ部
１６Ｌ，１６Ｒ  仕切り部
１６Ｌａ，１６Ｒａ  ツメ部
１７      第１背面部
１７ａ    固定部
１８      第２背面部
１８ａ    固定部
１９      マチ部
２０      マチ部
２１      レンズ
１００    端末閲覧器具
５００    映像表示端末
【図１】
2018180035.tif 000003
【図２】
2018180035.tif 000004
【図３】
2018180035.tif 000005
【図４】
2018180035.tif 000006
【図５】
2018180035.tif 000007
【図６】
2018180035.tif 000008
【図７】
2018180035.tif 000009
【図８】
2018180035.tif 000010
【図９】
2018180035.tif 000011
【図１０】
2018180035.tif 000012
【図１１】
2018180035.tif 000013
【図１２】
2018180035.tif 000014
【図１３】
2018180035.tif 000015
【図１４】
2018180035.tif 000016
【図１５】
2018180035.tif 000017
【図１６】
2018180035.tif 000018
【図１７】
2018180035.tif 000019
【図１８】
2018180035.tif 000020
【図１９】
2018180035.tif 000021
【図２０】
2018180035.tif 000022
【図２１】
2018180035.tif 000023
【図２２】
2018180035.tif 000024
【図２３】
2018180035.tif 000025
【図２４】
2018180035.tif 000026
【図２５】
2018180035.tif 000027
【図２６】
2018180035.tif 000028
【図２７】
2018180035.tif 000029
【図２８】
2018180035.tif 000030